(57)【特許請求の範囲】
【請求項１】
ボックス本体（２）が金属板からなる左構造体（７）と金属板からなる右構造体（８）と金属板からなる背構造体（９）と金属板からなる天構造体（１０）と金属板からなる底構造体（１１）とからなる前面を開口した縦長な前側から後側に奥行きの有る箱形であって、
ボックス本体（２）における左構造体（７）の前縁部には当該前縁部から右側に曲げられた連絡片（５１））と当該連絡片（５１）の右縁部から前側に曲げられた取付片（５２）とが設けられ、
ボックス本体（２）における右構造体（８）の前縁部には当該前縁部から左側に曲げられた連絡片（９８）と当該連絡片（９８）の左縁部から前側に曲げられた取付片（９９）とが設けられ、
前後方向に開口した貫通孔を囲む縦長な方形な前フレーム（３）は金属板からなる前後左右の４面で囲まれた内部を肉抜として上下方向に延びる中空な角筒状の左構造体（１２）と金属板からなる前後左右の４面で囲まれた内部を肉抜として上下方向に延びる中空な角筒状の右構造体（１３）と金属板からなる前後上下の４面で囲まれた内部を肉抜として左右方向に延びる中空な角筒状の上構造体（１４）と金属板からなる前後上下の４面で囲まれた内部を肉抜として左右方向に延びる中空な角筒状の下構造体（１５）とが互いに溶接で結合された構成であり、
前フレーム（３）の左構造体（１２）における右面の後側には当該右面の前側と後側との境から左側に曲げられてさらに後側に曲げられて左構造体（１２）の左面との間に中空を保ちつつ左構造体（１２）の後面に繋がる中空な取付部（１９２）を形成し、当該取付部（１９２）の左右方向の寸法（Ｔ１）が当該取付部（１９２）よりも前側の右面と左面と前面とからなる中空な部分（１９３）の左右方向の寸法（Ｔ３）よりも小さくなっており（Ｔ１＜Ｔ３）、
前フレーム（３）の右構造体（１３）における左面の後側には当該左面の前側と後側との境から右側に曲げられてさらに後側に曲げられて右構造体（１３）の右面との間に中空を保ちつつ右構造体（１３）の後面に繋がる中空な取付部（１９６）を形成し、当該取付部（１９６）の左右方向の寸法（Ｔ４）が当該取付部（１９６）よりも前側の左面と右面と前面とからなる中空な部分（１９７）の左右方向の寸法（Ｔ５）よりも小さくなっており（Ｔ４＜Ｔ５）、
そして、ボックス本体（２）における左構造体（７）の取付片（５２）の左側には前フレーム（３）における左構造体（１２）の中空な取付部（１９２）の右面が接触するように嵌め込まれ、ボルト（１６）がボックス本体（２）の開口の側から上記取付片（５２）を貫通して上記取付部（１９２）の右面に締結されて、ボックス本体（２）における左構造体（７）の前縁部を除く左面と前フレーム（３）における左構造体（１２）の左面とが互いに前後方向に平坦な面として連結されており、
また、ボックス本体（２）における右構造体（８）の取付片（９９）の右側には前フレーム（３）における右構造体（１３）の中空な取付部（１９６）の左面が接触するように嵌め込まれ、ボルト（１６）がボックス本体（２）の開口の側から上記取付片（９９）を貫通して上記取付部（１９６）の左面に締結されて、ボックス本体（２）における右構造体（８）の前縁部を除く右面と前フレーム（３）における右構造体（１３）の右面とが互いに前後方向に平坦な面として連結されており、
また、ボックス本体（２）における天構造体（１０）の前縁部の上側には前フレーム（３）における上構造体（１４）の下面が接触するように嵌め込まれ、ボルト（１６）がボックス本体（２）の開口の側から上記取付片（１５７）を貫通して上記上構造体（１４）の下面に締結されており、
また、ボックス本体（２）における底構造体（１１）の前縁部の下側には前フレーム（３）における下構造体（１５）の上面が接触するように嵌め込まれ、ボルト（１６）がボックス本体（２）の開口の側から上記取付片（１７１）を貫通して上記下構造体（１５）の上面に締結されたことを特徴とするスロットマシンの筐体（１）。
【請求項２】
前フレーム（３）の左構造体（１２）における右面の前側と後側との境から左側に曲げられてさらに後側に曲げられた部分がさらに左側に曲げられ、また、前フレーム（３）の右構造体（１３）における左面の前側と後側との境から右側に曲げられてさらに後側に曲げられ部分がさらに右側に曲げられたことを特徴とする請求項１記載のスロットマシンの筐体（１）。
【発明の詳細な説明】
【技術分野】
【０００１】
本発明は、軽量化と強さとの両立が図れるスロットマシンの筐体に関する。
【背景技術】
【０００２】
スロットマシンの筐体には、次のような構造が知られている。左側板、右側板、背板、天板、底板が金属板から構成され、左側板、右側板、背板、天板、底板が相互に係合されることによってボックス本体を構成し、方形に構成された前フレームがボックス本体の前側に嵌め込まれている。しかしながら、前フレームが４つの金属板から方形に構成された構造であるので、筐体における前側の強度を高くする場合、前フレームに使用する金属板の厚さが厚くなるので、筐体が重くなるという欠点がある。
【特許文献１】実用新案登録第３０９４７１７号公報
【発明の開示】
【発明が解決しようとする課題】
【０００３】
発明が解決しようとする問題点は、筐体の強度を高くすると、筐体が重くなるという点である。
【課題を解決するための手段】
【０００４】
本発明に係るスロットマシンの筐体は、ボックス本体が金属板からなる左構造体と金属板からなる右構造体と金属板からなる背構造体と金属板からなる天構造体と金属板からなる底構造体とからなる前面を開口した縦長な前側から後側に奥行きの有る箱形であって、ボックス本体における左構造体の前縁部には当該前縁部から右側に曲げられた連絡片と当該連絡片の右縁部から前側に曲げられた取付片とが設けられ、ボックス本体における右構造体の前縁部には当該前縁部から左側に曲げられた連絡片と当該連絡片の左縁部から前側に曲げられた取付片とが設けられ、前後方向に開口した貫通孔を囲む縦長な方形な前フレームは金属板からなる前後左右の４面で囲まれた内部を肉抜として上下方向に延びる中空な角筒状の左構造体と金属板からなる前後左右の４面で囲まれた内部を肉抜として上下方向に延びる中空な角筒状の右構造体と金属板からなる前後上下の４面で囲まれた内部を肉抜として左右方向に延びる中空な角筒状の上構造体と金属板からなる前後上下の４面で囲まれた内部を肉抜として左右方向に延びる中空な角筒状の下構造体とが互いに溶接で結合された構成であり、前フレームの左構造体における右面の後側には当該右面の前側と後側との境から左側に曲げられてさらに後側に曲げられて左構造体の左面との間に中空を保ちつつ左構造体の後面に繋がる中空な取付部を形成し、当該取付部の左右方向の寸法が当該取付部よりも前側の右面と左面と前面とからなる中空な部分の左右方向の寸法よりも小さくなっており、前フレームの右構造体における左面の後側には当該左面の前側と後側との境から右側に曲げられてさらに後側に曲げられて右構造体の右面との間に中空を保ちつつ右構造体の後面に繋がる中空な取付部を形成し、当該取付部の左右方向の寸法が当該取付部よりも前側の左面と右面と前面とからなる中空な部分の左右方向の寸法よりも小さくなっており、そして、ボックス本体における左構造体の取付片の左側には前フレームにおける左構造体の中空な取付部の右面が接触するように嵌め込まれ、ボルトがボックス本体の開口の側から上記取付片を貫通して上記取付部の右面に締結されて、ボックス本体における左構造体の前縁部を除く左面と前フレームにおける左構造体の左面とが互いに前後方向に平坦な面として連結されており、また、ボックス本体における右構造体の取付片の右側には前フレームにおける右構造体の中空な取付部の左面が接触するように嵌め込まれ、ボルトがボックス本体の開口の側から上記取付片を貫通して上記取付部の左面に締結されて、ボックス本体における右構造体の前縁部を除く右面と前フレームにおける右構造体の右面とが互いに前後方向に平坦な面として連結されており、また、ボックス本体における天構造体の前縁部の上側には前フレームにおける上構造体の下面が接触するように嵌め込まれ、ボルトがボックス本体の開口の側から上記取付片を貫通して上記構造体の下面に締結されており、また、ボックス本体における底構造体の前縁部の下側には前フレームにおける下構造体の上面が接触するように嵌め込まれ、ボルトがボックス本体の開口の側から上記取付片を貫通して上記下構造体の上面に締結されたことを特徴とする。また、本発明に係るスロットマシンの筐体は、前フレームの左構造体における右面の前側と後側との境から左側に曲げられてさらに後側に曲げられた部分がさらに左側に曲げられ、また、前フレームの右構造体における左面の前側と後側との境から右側に曲げられてさらに後側に曲げられ部分がさらに右側に曲げられてもよい。
【発明の効果】
【０００５】
本発明に係るスロットマシンの筐体は、金属板からなる前後左右の４面で囲まれた内部を肉抜として上下方向に延びる中空な角筒状の左構造体と金属板からなる前後左右の４面で囲まれた内部を肉抜として上下方向に延びる中空な角筒状の右構造体と金属板からなる前後上下の４面で囲まれた内部を肉抜として左右方向に延びる中空な角筒状の上構造体および金属板からなる前後上下の４面で囲まれた内部を肉抜として左右方向に延びる中空な角筒状の下構造体からなる額縁形の前フレームが、金属板からなる左構造体と金属板からなる右構造体と金属板からなる背構造体と金属板からなる天構造体および金属板からなる底構造体からなる前面を開口した箱形のボックス本体の前側に外側から嵌め込まれて取り付けられているので、筐体の軽量化を図りつつ強さを向上することができるという利点がある。
【発明を実施するための最良の形態】
【０００６】
図１乃至図１３は、発明を実施するための最良の形態である。図１は、筐体１を分解して示す。図２は、左構造体７を分解して示す。図３は、右構造体８を分解して示す。図４は、背構造体９を分解して示す。図５は、天構造体１０を示す。図６は、底構造体１１を示す。図７は、前フレーム３を分解して示す。図８は、図７をＡ−Ａ線、Ｂ−Ｂ線、Ｃ−Ｃ線、Ｄ−Ｄ線に沿い切断した断面を示す。図９は、左構造体７と右構造体８および背構造体９を相互に組み立てる初期形態を示す。図１０は、左構造体７と右構造体８と背構造体９および前フレーム３の組み立てられた構造の平面的な断面を示す。図１１は、天構造体１０を左構造体７と右構造体８および背構造体９からなる複合体２０６に組み立てる構造の側面的な断面を示す。図１２は、底構造体１１を複合体２０６に組み立てる構造を分解して示す。図１３は、筐体１を使用したスロットマシンを示す。本明細書において、「前」、「後」、「裏」、「左」、「右」、「上」、「下」の方向は、図１３の状態にスロットマシンを置いて矢印Ｓで示す前側から見た場合に特定される方向である。「後」と「裏」とは同じ方向である。
【０００７】
図１を参照し、スロットマシンの筐体１の構造について説明する。筐体１は、ボックス本体２、前フレーム３、左プロテクタ４、右プロテクタ５、後プロテクタ６を備える。ボックス本体２は、左構造体７、右構造体８、背構造体９、天構造体１０、底構造体１１が互いに組み合わせられたことによって、前面を開口した縦長な前側から後側に奥行きの有る箱形に構成される。前フレーム３は、角筒状の左構造体１２、角筒状の右構造体１３、角筒状の上構造体１４、角筒状の下構造体１５が互いに溶接で結合されたことによって、前後方向に開口した貫通孔を囲む縦長な方形の額縁形に構成される。そして、前フレーム３の後縁部がボックス本体２の前側から前縁部の外側に嵌め込まれ、ボルト１６がボックス本体２の開口の側からボルト挿入孔１７を経由して前フレーム３のボルト結合孔１８に締結されることによって、前フレーム３とボックス本体２とが互いに結合される。このように、額縁形の前フレーム３がボックス本体２の前側に取り付けられることによって、筐体１の軽量化を図りつつ強さを向上することができるという利点がある。
【０００８】
左プロテクタ４、右プロテクタ５、後プロテクタ６は、合成樹脂により個別に構成される。左プロテクタ４および右プロテクタ５は、前後方向に細長い同じ形の棒状であって、左プロテクタ４を右プロテクタ５として使用可能であり、右プロテクタ５を左プロテクタ４として使用可能である。左プロテクタ４および右プロテクタ５には、ボルト挿入孔１９；２０、図外の頭部収納部、凹条２１；２２、凸条２３；２４が形成される。ボルト挿入孔１９は、前後方向に分かれ、上下方向への貫通孔として形成される。頭部収納部は、左プロテクタ４および右プロテクタ５の底面から内部に窪み、ボルト挿入孔１９よりも大きな直径で、ボルト挿入孔１９と同軸状に形成される。凹条２１；２２および凸条２３；２４は、左プロテクタ４および右プロテクタ５の下面に、前後方向への条として形成され、左右方向に交互に連続する。後プロテクタ６は、左右方向に細長い棒状であって、ボルト挿入孔２５、図外の頭部収納部、凹条２６、凸条２７を備える。ボルト挿入孔２５は、左右方向に分かれ、上下方向への貫通孔として形成される。図外の頭部収納部は、後プロテクタ６の底面から内部に窪み、ボルト挿入孔２５よりも大きな直径で、ボルト挿入孔２５と同軸状に形成される。凹条２６および凸条２７は、後プロテクタ６の底面に、前後方向への条として形成され、左右方向に交互に連続する。
【０００９】
そして、左プロテクタ４の上面がボックス本体２の下側から左構造体７における下縁部の下面に重ね合わされ、ボルト２８が左プロテクタ４の下側からボルト挿入孔１９を経由して左構造体７のボルト締結孔２９に締結されることによって、左プロテクタ４が左構造体７に取り付けられ、ボルト２８の頭部が頭部収容部に格納されて左プロテクタ４の下面よりも下側に突出しない。右プロテクタ５の上面がボックス本体２の下側から右構造体８における下縁部の下面に重ね合わされ、ボルト３０が右プロテクタ５の下側からボルト挿入孔２０を経由して右構造体８のボルト締結孔３１に締結されることによって、右プロテクタ５が右構造体８に取り付けられ、ボルト３０の頭部が頭部収容部に格納されて右プロテクタ５の下面よりも下側に突出しない。後プロテクタ６の上面がボックス本体２の下側から背構造体９における下縁部の下面に重ね合わされ、ボルト３２が後プロテクタ６の下側からボルト挿入孔２５を経由して背構造体９のボルト締結孔３３に締結されることによって、後プロテクタ６が背構造体９に取り付けられ、ボルト３２の頭部が頭部収容部に格納されて後プロテクタ６の下面よりも下側に突出しない。よって、筐体１が遊技店の島と呼ばれる図外の遊技機設置構造体に取り付けられる場合、左プロテクタ４の下面、右プロテクタ５の下面、後プロテクタ６の下面が遊技機設置構造体の台の上に接触して搭載され、筐体１が作業者によって前側から後側に押されて遊技機設置構造体の台の上を移動しても、ボルト２８；３０；３２の頭部が遊技機設置構造体と接触することがなく、ボルト２８；３０；３２が遊技機設置構造体の台に傷を付けないという利点がある。
【００１０】
左プロテクタ４と右プロテクタ５および後プロテクタ６が、合成樹脂製で構成され、前フレーム３の組み付けられたボックス本体２に取り付けられているので、筐体１が遊技店の島と呼ばれる遊技機設置構造体に取り付けられる場合、左プロテクタ４と右プロテクタ５および後プロテクタ６を遊技機設置構造体の台の上に搭載することによって、衝撃を和らげることができるという利点がある。左プロテクタ４と右プロテクタ５および後プロテクタ６が、前フレーム３の組み付けられたボックス本体２に取り付けられた場合において、前フレーム３の下面が、左プロテクタ４の下面、右プロテクタ５の下面、後プロテクタ６の下面と同一面に位置させてもよいが、左プロテクタ４の下面、右プロテクタ５の下面、後プロテクタ６の下面よりも上側に位置されれば、筐体１が遊技店の島と呼ばれる遊技機設置構造体に取り付けられる場合、左プロテクタ４の下面、右プロテクタ５の下面、後プロテクタ６の下面が遊技機設置構造体の台の上に接触して搭載されても、前フレーム３が遊技機設置構造体と接触することがなく、前フレーム３が遊技機設置構造体の台に傷を付けることがなく、前フレーム３の表面に施された塗料の層が遊技機設置構造体から傷を受けることもないという利点がある。また、左プロテクタ４、右プロテクタ５、後プロテクタ６には、凹条２１；２２；２６および凸条２３；２４；２７が形成されているので、左プロテクタ４の下面、右プロテクタ５の下面、後プロテクタ６の下面が遊技機設置構造体の台の上に接触して搭載された場合、凹凸がないものよりも、遊技機設置構造体の台と左プロテクタ４、右プロテクタ５、後プロテクタ６との接触面積が少ない。作業者が、筐体１を前側から後側に押した場合、筐体１を簡単に移動できるという利点がある。
【００１１】
図２を参照し、左構造体７の構造について説明する。左構造体７は、左側板３７、棚構造体３８、電源取付構造体３９、底受止構造体４０、ヒンジ取付構造体４１、取手構造体４２を構成部材として備える。左側板３７、棚構造体３８、電源取付構造体３９、底受止構造体４０、取手構造体４２、ヒンジ取付構造体４１は、相互に別々に形成される。そして、棚構造体３８と電源取付構造体３９と底受止構造体４０およびヒンジ取付構造体４１が左側板３７に取り付けられた状態において、電着塗装が全体的に施され、その後、取手構造体４２が左側板３７の右面に取り付けられることによって、左構造体７が図１に示す構造に構成される。
【００１２】
左側板３７は、鉄板のような板金を材料とし、上縁部および下縁部が互いに平行で、後縁部が上縁部および下縁部と直交し、前縁部が下から上に行くにしたがって徐々に後縁部の側に傾斜する、縦長な四角形に形成される。左側板３７には、取手用孔４３および取手取付部４４が設けられる。取手用孔４３は、左右方向への貫通孔として左側板３７に形成される。取手取付部４４は、取手用孔４３よりも前側および後側に位置し、左側板３７に溶接されたボルトにより構成される。取手取付部４４におけるボルトの頭部は、左側板３７の左面よりも左側に突出していない。つまり、取手取付部４４としてボルトの頭部が左側板３７の左面に溶接されても、左側板３７の左面は平坦に構成される。左側板３７の上縁部には、天板受止片４５が、左側板３７の上縁部から内側に直角に折り曲げられる。左側板３７の後縁部には、背板係合部４６が設けられる。背板係合部４６は、係合後片４７と係合右片４８および係合前片４９から、上下方向および前側に開口した形状に形成される。係合後片４７は、左側板３７の後縁部の上下方向の全体にわたり左側板３７の後縁部から右側に直角に折り曲げられる。係合右片４８は、係合後片４７の右縁部の上下方向の全体にわたり係合後片４７の右縁部から前側に直角に折り曲げられる。係合前片４９は、係合右片４８の前縁部の上下方向の全体にわたり係合右片４８の前縁部から左側に直角に折り曲げられる。左側板３７の前縁部には、フレーム取付部５０が設けられる。フレーム取付部５０は、連絡片５１および取付片５２を備える。連絡片５１は、左側板３７の前縁部から右側に直角に折り曲げられる。取付片５２は、連絡片５１の右縁部から前側に直角に折り曲げられる。連絡片５１には、複数のボルト挿入孔１７が、互いに上下方向に分離され、左右方向への貫通孔として形成される。
【００１３】
棚構造体３８は、鉄板のような板金を材料とし、棚右片５４、棚上片５５、棚下片５６、上結合片５７、下結合片５８を備えた形状に構成される。棚右片５４は、前後方向に長い帯状である。棚上片５５は、棚右片５４の上縁部から左側に直角に折り曲げられる。棚下片５６は、棚右片５４の下縁部から左側に直角に折り曲げられる。上結合片５７は、棚上片５５の左縁部から上側に直角に折り曲げられる。下結合片５８は、棚下片５６の左縁部から下側に直角に折り曲げられる。棚右片５４には、複数の図柄取付部５９が、互いに前後方向に分離されて設けられる。図柄取付部５９は、図１３の図柄表示装置２１２を固定するものであって、ボルト退避孔とナットとから構成される。図柄取付部５９のボルト退避孔は、棚右片５４に左右方向への貫通孔として形成される。図柄取付部５９のナットは、ボルト退避孔の周りにおける棚右片５４の左面に溶接される。図柄取付部５９のボルト退避孔およびナットは互いに同軸状である。棚構造体３８は、左側板３７に、次のように取り付けられる。上結合片５７の左面および下結合片５８の左面が左側板３７の右面に溶接で結合され、棚構造体３８が左側板３７の右面に固定される。
【００１４】
電源取付構造体３９は、鉄板のような板金を材料とし、取付右片６１、取付上片６２、取付下片６３、上結合片６４、下結合片６５を備えた形状に構成される。取付右片６１は、前後方向に長い帯状である。取付上片６２は、取付右片６１の上縁部から左側に直角に折り曲げられる。取付下片６３は、取付右片６１の下縁部から左側に直角に折り曲げられる。上結合片６４は、取付上片６２の左縁部から上側に直角に折り曲げられる。下結合片６５は、取付下片６３の左縁部から下側に直角に折り曲げられる。取付右片６１には、複数の電源取付部６６が、互いに前後方向に分離されて設けられる。電源取付部６６は、ボルト退避孔とナットとから構成される。電源取付部６６のボルト退避孔は、取付右片６１に左右方向への貫通孔として形成される。電源取付部６６のナットは、ボルト退避孔の周りにおける取付右片６１の左面に溶接される。電源取付部６６のボルト退避孔およびナットは互いに同軸状である。電源取付構造体３９は、左側板３７に、次のように取り付けられる。上結合片６４の左面と下結合片６５の左面とが左側板３７の右面に溶接で結合され、電源取付構造体３９が左側板３７の右面に固定される。
【００１５】
底受止構造体４０は、鉄板のような板金を材料とし、受止片６８および結合片６９を備えた形状に構成される。受止片６８は、前後方向に長い帯状である。結合片６９は、受止片６８の左縁部から上側に直角に折り曲げられる。受止片６８には、複数の底板取付部７０および複数のプロテクタ取付部７１が、互いに前後方向に分離されて設けられる。底板取付部７０は、ボルト退避孔とナットとから構成される。底板取付部７０のボルト退避孔は、受止片６８に上下方向への貫通孔として形成される。底板取付部７０のナットは、ボルト退避孔の周りにおける受止片６８の上面に溶接される。底板取付部７０のボルト退避孔およびナットは互いに同軸状である。プロテクタ取付部７１は、ボルト退避孔とナットとから構成される。プロテクタ取付部７１のボルト退避孔は、受止片６８に上下方向への貫通孔として形成される。プロテクタ取付部７１のナットは、ボルト退避孔の周りにおける受止片６８の上面に溶接される。プロテクタ取付部７１のボルト退避孔およびナットは互いに同軸状である。底受止構造体４０は、左側板３７に、次のように取り付けられる。底板取付部７０およびプロテクタ取付部７１が上側に向けられ、結合片６９の左面が左側板３７の右面に溶接で結合され、受止片６８が左側板３７の下縁部から右側に直角に突出し、底受止構造体４０が左側板３７の右面に固定される。
【００１６】
ヒンジ取付構造体４１は、鉄板のような板金を材料とし、取付右片７３、連絡片７４、取付後片７５、前結合片７６、後結合片７７を備えた形状に構成される。取付右片７３は、上下方向に長い帯状である。連絡片７４は、取付右片７３の前縁部から左側に直角に折り曲げられる。取付後片７５は、取付右片７３の後縁部から左側に直角に折り曲げられる。前結合片７６は、連絡片７４の左縁部から前側に直角に折り曲げられる。後結合片７７は、取付後片７５の左縁部から後側に直角に折り曲げられる。取付右片７３には、複数のヒンジ取付部７８が、互いに上下方向に分離されて設けられる。ヒンジ取付部７８は、ボルト退避孔とナットとから構成される。ヒンジ取付部７８のボルト退避孔は、取付右片７３に左右方向への貫通孔として形成される。ヒンジ取付部７８のナットは、ボルト退避孔の周りにおける取付右片７３の左面に溶接される。ヒンジ取付部７８のボルト退避孔およびナットは互いに同軸状である。ヒンジ取付構造体４１は、左側板３７に、次のように取り付けられる。前結合片７６が前側に向けられ、前結合片７６の左面が左側板３７における取付片５２の右面に溶接で結合され、後結合片７７が後側に向けられ、後結合片７７の左面が左側板３７の右面に溶接で結合され、取付右片７３が左側板３７の右面から右側に平行に突出し、ヒンジ取付構造体４１が左側板３７の右面に固定される。
【００１７】
取手構造体４２は、光を遮断する性質の有る有色な合成樹脂を材料とし、袋部８０および取付片８１を備えた形状に構成される。袋部８０は、左面に開口し、左側から右側に奥行きの有る箱形である。取付片８１は、袋部８０の開口を囲み、袋部８０の開口から外側に直角に突出する。取付片８１には、複数のボルト挿入孔８２が、前後に分離され、左右方向への貫通孔として設けられる。取手構造体４２は、左側板３７に、次のように取り付けられる。取付片８１が左側に向けられて左側板３７の右面の側に近づけられ、取手取付部４４のボルトがボルト挿入孔８２に挿入された後、ナット８３が取付片８１よりも右側に突出した取手取付部４４のボルトに締結されることによって、袋部８０の開口が取手用孔４３と対応し、袋部８０が取手用孔４３を袋小路状に覆い隠し、取手構造体４２が左側板３７の右面に固定される。
【００１８】
図３を参照し、右構造体８の構造について説明する。右構造体８は、右側板８５、棚構造体８６、底受止構造体８７、部品取付構造体８８、取手構造体８９を構成部材として備える。右側板８５、棚構造体８６、底受止構造体８７、取手構造体８９は、相互に別々に形成される。そして、棚構造体８６および底受止構造体８７が右側板８５に取り付けられた状態において、電着塗装が全体的に施され、その後、取手構造体８９が右側板８５に取り付けられることによって、右構造体８が図１に示す構造に構成される。
【００１９】
右側板８５は、鉄板のような板金を材料とし、上縁部および下縁部が互いに平行で、後縁部が上縁部および下縁部と直交し、前縁部が下部から上部に行くにしたがって徐々に後縁部の側に傾斜する、縦長な四角形に形成される。右側板８５は、左側板３７と左右に対称の合同形状である。右側板８５には、取手用孔９０および取手取付部９１が設けられる。取手用孔９０は、左右方向への貫通孔として右側板８５に形成される。取手取付部９１は、取手用孔９０よりも前側および後側に位置し、右側板８５に溶接されたボルトにより構成される。取手取付部９１におけるボルトの頭部は、右側板８５の右面よりも右側に突出していない。つまり、取手取付部９１としてボルトの頭部が右側板８５の右面に溶接されても、右側板８５の右面は平坦に構成される。右側板８５の上縁部には、天板受止片９２が、右側板８５の上縁部から左側に直角に折り曲げられる。右側板８５の後縁部には、背板係合部９３が設けられる。背板係合部９３は、係合後片９４と係合左片９５および係合前片９６から、上下方向および前側に開口した形状に形成される。係合後片９４は、右側板８５の後縁部の上下方向の全体にわたり右側板８５の後縁部から左側に直角に折り曲げられる。係合左片９５は、係合後片９４の左縁部の上下方向の全体にわたり係合後片９４の左縁部から前側に直角に折り曲げられる。係合前片９６は、係合左片９５の前縁部の上下方向の全体にわたり係合左片９５の前縁部から右側に直角に折り曲げられる。右側板８５の前縁部には、フレーム取付部９７が設けられる。フレーム取付部９７は、連絡片９８および取付片９９から構成される。連絡片９８は、右側板８５の前縁部から左側に直角に折り曲げられる。取付片９９は、連絡片９８の左縁部から前側に直角に折り曲げられる。連絡片９８には、複数のボルト挿入孔１７が、互いに上下方向に分離され、左右方向への貫通孔として形成される。
【００２０】
棚構造体８６は、鉄板のような板金を材料とし、棚左片１００、棚上片１０１、棚下片１０２、上結合片１０３、下結合片１０４を備えた形状に構成される。棚左片１００は、前後方向に長い帯状である。棚上片１０１は、棚左片１００の上縁部から右側に直角に折り曲げられる。棚下片１０２は、棚左片１００の下縁部から右側に直角に折り曲げられる。上結合片１０３は、棚上片１０１の右縁部から上側に直角に折り曲げられる。下結合片１０４は、棚下片１０２の右縁部から下側に直角に折り曲げられる。棚左片１００には、複数の図柄取付部１０５が、互いに前後方向に分離されて設けられる。図柄取付部１０５は、図１３の図柄表示装置２１２を固定するものであって、ボルト退避孔とナットとから構成される。図柄取付部１０５のボルト退避孔は、棚左片１００に左右方向への貫通孔として形成される。図柄取付部１０５のナットは、ボルト退避孔の周りにおける棚左片１００の右面に溶接される。図柄取付部１０５のボルト退避孔およびナットは互いに同軸状である。棚構造体８６は、右側板８５に、次のように取り付けられる。上結合片１０３の右面および下結合片１０４の右面が右側板８５の右面に溶接で結合され、棚構造体８６が右側板８５の左面に固定される。
【００２１】
底受止構造体８７は、鉄板のような板金を材料とし、受止片１０７および結合片１０８を備えた形状に構成される。受止片１０７は、前後方向に長い帯状である。結合片１０８は、受止片１０７の右縁部から上側に直角に折り曲げられる。受止片１０７には、複数の底板取付部１０９および複数のプロテクタ取付部１１０が、互いに前後方向に分離されて設けられる。底板取付部１０９は、ボルト退避孔とナットとから構成される。底板取付部１０９のボルト退避孔は、受止片１０７に上下方向への貫通孔として形成される。底板取付部１０９のナットは、ボルト退避孔の周りにおける受止片１０７の上面に溶接される。底板取付部１０９のボルト退避孔およびナットは互いに同軸状である。プロテクタ取付部１１０は、ボルト退避孔とナットとから構成される。プロテクタ取付部１１０のボルト退避孔は、受止片１０７に上下方向への貫通孔として形成される。プロテクタ取付部１１０のナットは、ボルト退避孔の周りにおける受止片１０７の上面に溶接される。プロテクタ取付部１１０のボルト退避孔およびナットは互いに同軸状である。底受止構造体８７は、右側板８５に、次のように取り付けられる。底板取付部１０９およびプロテクタ取付部１１０が上側に向けられ、結合片１０８の右面が右側板８５の左面に溶接で結合され、受止片１０７が右側板８５の下縁部から左側に直角に突出し、底受止構造体８７が右側板８５の左面に固定される。
【００２２】
部品取付構造体８８は、鉄板のような板金を材料とし、取付左片１１１、取付上片１１２、取付下片１１３、上結合片１１４、下結合片１１５を備えた形状に構成される。取付左片１１１は、前後方向に長い帯状である。取付上片１１２は、取付左片１１１の上縁部から右側に直角に折り曲げられる。取付下片１１３は、取付左片１１１の下縁部から右側に直角に折り曲げられる。上結合片１１４は、取付上片１１２の右縁部から上側に直角に折り曲げられる。下結合片１１５は、取付下片１１３の右縁部から下側に直角に折り曲げられる。取付左片１１１には、部品取付部１１６および逃避孔１１７が、互いに前後方向に分離されて設けられる。部品取付部１１６は、ボルト退避孔とナットとから構成される。部品取付部１１６のボルト退避孔は、取付左片１１１に左右方向への貫通孔として形成される。部品取付部１１６のナットは、ボルト退避孔の周りにおける取付左片１１１の右面に溶接される。部品取付部１１６のボルト退避孔およびナットは互いに同軸状である。逃避孔１１７は、左右方向への貫通孔として取付左片１１１に形成される。部品取付構造体８８は、右側板８５に、次のように取り付けられる。上結合片１１４の右面および下結合片１１５の右面が右側板８５の左面に溶接で結合され、部品取付構造体８８が右側板８５の左面に固定される。
【００２３】
取手構造体８９は、光を遮断する性質の有る有色な合成樹脂を材料とし、袋部１１９および取付片１２０を備えた形状に構成される。袋部１１９は、右面を開口し、右側から左側に奥行きの有る箱形である。取付片１２０は、袋部１１９の開口を囲み、袋部１１９の開口から外側に直角に突出する。取付片１２０には、複数のボルト挿入孔１２１が、前後に分離され、左右方向への貫通孔として設けられる。取手構造体８９は、右側板８５に、次のように取り付けられる。取付片１２０が右側に向けられて右側板８５の左面の側に近づけられ、取手取付部９１のボルトがボルト挿入孔１２１に挿入された後、ナット１２２が取付片１２０よりも左側に突出したボルトに締結されることによって、袋部１１９の開口が右側板８５の取手用孔９０と対応し、袋部１１９が取手用孔９０を袋小路状に覆い隠し、取手構造体８９が右側板８５の左面に固定される。
【００２４】
図４を参照し、背構造体９の構造について説明する。背構造体９は、背板１２４および底受止構造体１２５を備える。背板１２４および底受止構造体１２５は、互いに別々に構成される。そして、底受止構造体１２５が背板１２４に取り付けられた状態において、電着塗装が全体的に施されることによって、背構造体９が図１に示す構造に構成される。
【００２５】
背板１２４は、鉄板のような板金を材料とし、上縁部および下縁部が互いに平行で、前縁部および後縁部が互いに平行となる縦長な方形に形成される。背板１２４には、放熱孔部１２６；１２７、補給孔部１２８、配線孔１２９；１３０、オーバーフローセンサ取付孔Ｃが設けられる。放熱孔部１２６は、横長な前後方向への貫通孔と、貫通孔の周縁部が後側に斜めに突出されたリブとを備える。このように放熱孔部１２６がリブを備えることによって、背板１２４の曲げ強度が向上し、背板１２４が撓み難い。放熱孔部１２７は、丸い前後方向への貫通孔が多数集合された形態である。補給孔部１２８は、収容部１３１、補給用孔１３２、蓋１３３を備える。収容部１３１は、背板１２４の裏側から前側に突出された方形である。補給用孔１３２は、収容部１３１の前壁に、前後方向への貫通孔として形成される。蓋１３３は、背板１２４の裏側から収容部１３１の裏面に接着剤で接着され、補給用孔１３２を塞ぐ。そして、遊技機設置構造体にメダル補給機が設けられている場合、蓋１３３が背板１２４の前側から後側に押されて収容部１３１から取り外され、補給用孔１３２がメダル補給機の設置孔として使用される。
【００２６】
背板１２４の上縁部には、天板係合部１３４が設けられる。天板係合部１３４は、上係合片１３５と後係合片１３６ａおよび下係合片１３６ｂから、前側および左右方向に開口した形状に形成される。上係合片１３５は、背板１２４の上縁部から後側に直角に折り曲げられる。後係合片１３６ａは、上係合片１３５の後縁部から下側に直角に折り曲げられる。下係合片１３６ｂは、後係合片１３６ａの下縁部から前側に直角に折り曲げられる。背板１２４の左縁部には、左側板係合部１３７が設けられる。左側板係合部１３７は、左係合片１３８と後係合片１３９および右係合片１４０から、上下方向および右側に開口した形状に形成される。左係合片１３８は、背板１２４の左縁部の上下方向の全体にわたり背板１２４の左縁部から後側に直角に折り曲げられる。後係合片１３９は、左係合片１３８の後縁部の上下方向の全体にわたり左係合片１３８の後縁部から右側に直角に折り曲げられる。右係合片１４０は、後係合片１３９の上下方向の全体にわたり右縁部後係合片１３９の右縁部から前側に直角に折り曲げられる。背板１２４の右縁部には、右側板係合部１４１が設けられる。右側板係合部１４１は、右係合片１４２と後係合片１４３および左係合片１４４から、上下方向および右側に開口した形状に形成される。右係合片１４２は、背板１２４の右縁部の上下方向の全体にわたり背板１２４の右縁部から後側に直角に折り曲げられる。後係合片１４３は、右係合片１４２の後縁部の上下方向の全体にわたり右係合片１４２の後縁部から左側に直角に折り曲げられる。左係合片１４４は、後係合片１４３の左縁部の上下方向の全体にわたり後係合片１４３の左縁部から前側に直角に折り曲げられる。
【００２７】
底受止構造体１２５は、鉄板のような板金を材料とし、受止片１４５および結合片１４６を備えた形状に構成される。受止片１４５は、左右方向に長い帯状である。結合片１４６は、受止片１４５の後縁部から上側に直角に折り曲げられる。受止片１４５には、複数の底板取付部１４７および複数のプロテクタ取付部１４８が、互いに左右方向に分離されて設けられる。底板取付部１４７は、ボルト退避孔とナットとから構成される。底板取付部１４７のボルト退避孔は、受止片１４５に上下方向への貫通孔として形成される。底板取付部１４７のナットは、ボルト退避孔の周りにおける受止片１４５の上面に溶接される。底板取付部１４７のボルト退避孔およびナットは互いに同軸状である。プロテクタ取付部１４８は、ボルト退避孔とナットとから構成される。プロテクタ取付部１４８のボルト退避孔は、受止片１４５に上下方向への貫通孔として形成される。プロテクタ取付部１４８のナットは、ボルト退避孔の周りにおける受止片１４５の上面に溶接される。プロテクタ取付部１４８のボルト退避孔およびナットは互いに同軸状である。底受止構造体１２５は、背板１２４に、次のように取り付けられる。底板取付部１４７およびプロテクタ取付部１４８が上側に向けられ、結合片１４６の後面が背板１２４の前面に溶接で結合され、受止片１４５が背板１２４の下縁部から前側に直角に突出し、底受止構造体１２５が背板１２４の前面に固定される。
【００２８】
図５を参照し、天構造体１０の構造について説明する。天構造体１０は、天板１４９、左側板受止片１５０、右側板受止片１５１、背板係合部１５２、フレーム取付部１５３を備える。そして、左側板受止片１５０、右側板受止片１５１、背板係合部１５２、フレーム取付部１５３が天板１４９に設けられた状態において、電着塗装が全体的に施されることによって、天構造体１０が図５に示す構造に構成される。天板１４９は、鉄板のような板金を材料とし、左縁部および右縁部が互いに平行で、前縁部および後縁部が互いに平行となる横長な方形に形成される。左側板受止片１５０は、天板１４９の左縁部から下側に直角に折り曲げられる。右側板受止片１５１は、天板１４９の右縁部から下側に直角に折り曲げられる。背板係合部１５２は、天板１４９の後縁部に設けられる。背板係合部１５２は、後係合片１５４と下係合片１５５ａおよび前係合片１５５ｂから、前側および左右方向に開口した形状に形成される。後係合片１５４は、天板１４９の後縁部から下側に直角に折り曲げられる。下係合片１５５ａは、後係合片１５４の下縁部から前側に直角に折り曲げられる。前係合片１５５ｂは、下係合片１５５ａの前縁部から上側に直角に折り曲げられる。フレーム取付部１５３は、天板１４９の前縁部に設けられる。フレーム取付部１５３は、連絡片１５６および取付片１５７を備える。連絡片１５６は、天板１４９の前縁部から下側に直角に折り曲げられる。取付片１５７は、連絡片１５６の下縁部から前側に直角に折り曲げられる。取付片１５７には、複数のボルト挿入孔１７が、互いに左右方向に分離され、上下方向への貫通孔として形成される。
【００２９】
図６を参照し、底構造体１１の構造について説明する。底構造体１１は、底板１５９、左側板受止片１６０、右側板受止片１６１、背板受止片１６２、フレーム取付部１６３を備える。そして、左側板受止片１６０、右側板受止片１６１、背板受止片１６２、フレーム取付部１６３が底板１５９に設けられた状態において、電着塗装が全体的に施されることによって、底構造体１１が図６に示す構造に構成される。底板１５９は、鉄板のような板金を材料とし、左縁部および右縁部が互いに平行で、前縁部および後縁部が互いに平行となる横長な方形に形成される。底板１５９には、回収孔部１６４、ホッパー取付部１６５、ボルト挿入孔１６６が設けられる。ホッパー取付部１６５は、図１３のホッパー２１４を固定するものであって、ボルト退避孔とナットとから構成される。ホッパー取付部１６５のボルト退避孔は、底板１５９に上下方向への貫通孔として形成される。ホッパー取付部１６５のナットは、ボルト退避孔の周りにおける底板１５９の上面に溶接される。ホッパー取付部１６５のボルト退避孔およびナットは互いに同軸状である。回収孔部１６４は、収容部１６７、回収用孔１６８、蓋１６９を備える。収容部１６７は、底板１５９の下側から上側に突出される。回収用孔１６８は、収容部１６７の上壁に、上下方向への貫通孔として形成される。蓋１６９は、底板１５９の下側から収容部１６７の下面に接着剤で接着され、回収用孔１６８を塞ぐ。そして、遊技機設置構造体にメダル回収機が設けられている場合、蓋１６９が底板１５９の上側から下側に押されて収容部１６７から取り外され、回収用孔１６８がメダル回収機の設置孔として使用される。
【００３０】
左側板受止片１６０は、底板１５９の左縁部から上側に直角に折り曲げられる。右側板受止片１６１は、底板１５９の右縁部から上側に直角に折り曲げられる。背板受止片１６２は、底板１５９の後縁部から上側に直角に折り曲げられる。フレーム取付部１６３は、底板１５９の前縁部に設けられ、連絡片１７０および取付片１７１を備える。連絡片１７０は、底板１５９の前縁部から下側に直角に折り曲げられる。取付片１７１は、連絡片１７０の下縁部から前側に直角に折り曲げられる。取付片１７１には、複数のボルト挿入孔１７が、互いに左右方向に分離され、上下方向への貫通孔として形成される。
【００３１】
図７を参照し、前フレーム３の構造について説明する。前フレーム３は、フレーム本体１７３、左不正防止部材１７４、右不正防止部材１７５、上不正防止部材１７６、補助部材１７７を備える。そして、左不正防止部材１７４、右不正防止部材１７５、上不正防止部材１７６、補助部材１７７がフレーム本体１７３に取り付けられた状態において、電着塗装が全体的に施されることによって、前フレーム３が図１に示す構造に構成される。フレーム本体１７３は、左構造体１２、右構造体１３、上構造体１４、下構造体１５が互いに溶接で結合されたことによって、前後方向に開口した貫通孔を囲む縦長な方形の額縁形に形成される。左構造体１２、右構造体１３、上構造体１４、下構造体１５の構造については、図８で後述する。
【００３２】
左不正防止部材１７４は、鉄板のような板金を材料とし、受止片１７９、結合片１８０、ヒンジ逃避部１８１を備えた形状に構成される。受止片１７９は、上下方向に長い帯状である。結合片１８０は、受止片１７９の左縁部から後側に直角に近い鋭角に折り曲げられる。ヒンジ逃避部１８１は、上下に分かれ、受止片１７９に設けられ、受止片１７９の右端面から内部に窪み、右側および前後方向に貫通する。右不正防止部材１７５は、鉄板のような板金を材料とし、受止片１８３、連結片１８４、結合片１８５、掛止片１８６を備えた形状に構成される。受止片１８３は、上下方向に長い帯状である。連結片１８４は、受止片１８３の後縁部から左側に直角に折り曲げられる。結合片１８５は、連結片１８４の左縁部から後側に直角に折り曲げられる。掛止片１８６は、上下に分かれ、結合片１８５の左縁部から左側に直角に折り曲げられる。上不正防止部材１７６は、鉄板のような板金を材料とし、左右方向に長い帯状に形成される。補助部材１７７は、鉄板のような板金を材料とし、受止片１８８と案内面１８９および結合片１９０を備えた形状に構成される。受止片１８８は、前後方向に長い帯状である。案内面１８９は、受止片１８８の前縁部から前側に行くにしたがって徐々に下り勾配となる斜面として受止片１８８の前側に設けられる。結合片１９０は、受止片１８８の右縁部から上側に直角に折り曲げられる。そして、結合片１９０の右面が結合片１８５の左面に溶接され、受止片１８８および案内面１８９が結合片１８５より左側に直角に突出し、補助部材１７７が右不正防止部材１７５に固定される。
【００３３】
図８を参照し、左構造体１２、右構造体１３、上構造体１４、下構造体１５の構造について説明する。図８のａ図に示すように、左構造体１２は、鉄板のような板金からなる内側板金ａおよび鉄板のような板金からなる外側板金ｂを材料とし、上下方向に長い、角筒状に形成され、後側の取付部１９２、中間の骨太部１９３、前側の細身部１９４を備える。取付部１９２における左右方向の寸法である厚さＴ１と、細身部１９４における左右方向の寸法である厚さＴ２とは、同じである（Ｔ１＝Ｔ２）。骨太部１９３における左右方向の寸法である厚さＴ３は、取付部１９２の厚さＴ１および細身部１９４の厚さＴ２よりも大きい（Ｔ３＞Ｔ１；Ｔ２）。骨太部１９３の右面には、左不正防止部材１７４における結合片１８０の左面が溶接で結合され、受止片１７９が骨太部１９３より左側に突出し、左不正防止部材１７４が左構造体１２に固定される。取付部１９２の右面には、左構造体７における取付片５２が、ボルト１６で締結され、左構造体７が左構造体１２に固定される。ボルト１６は、左構造体１２の左面に突出していないので、左構造体１２の左側から取り外されない。左構造体７と左構造体１２とが互いに組み合わせられた場合、左構造体７の左面と左構造体１２の左面とが互いに前後方向に平坦な面として連結されるので、図１の筐体１の容積が大きくなるという利点がある。
【００３４】
図８のｂ図に示すように、右構造体１３は、鉄板のような板金からなる内側板金ａおよび鉄板のような板金からなる外側板金ｂを材料とし、上下方向に長い、角筒状に形成され、後側の取付部１９６、前側の骨太部１９７を備える。骨太部１９７における左右方向の寸法である厚さＴ５は、取付部１９６における左右方向の寸法である厚さＴ４よりも大きい（Ｔ５＞Ｔ４）。骨太部１９７の左面には、右不正防止部材１７５における結合片１８５の右面が溶接で結合され、連結片１８４および受止片１８３が骨太部１９３より前側に突出し、右不正防止部材１７５が右構造体１３に固定される。取付部１９６の左面には、右構造体８における取付片９９が、ボルト１６で締結され、右構造体８が右構造体１３に固定される。ボルト１６は、右構造体１３の右面に突出していないので、右構造体１３の右側から取り外されない。右構造体８と右構造体１３とが互いに組み合わされた場合、右構造体８の右面と右構造体１３の右面とが互いに前後方向に平坦な面として連結されるので、図１の筐体１の容積が大きくなるという利点がある。
【００３５】
図８のｃ図に示すように、上構造体１４は、鉄板のような板金からなる内側板金ａおよび鉄板のような板金からなる外側板金ｂを材料とし、上下方向に長い、角筒状に形成され、後側の取付部１９９、前側の骨太部２００を備える。骨太部２００における上下方向の寸法である厚さＴ７は、取付部１９９における上下方向の寸法である厚さＴ６よりも大きい（Ｔ７＞Ｔ６）。骨太部２００の下面には、上不正防止部材１７６における後部の上面が溶接で結合され、上不正防止部材１７６の前部が骨太部１９３より前側に突出し、上不正防止部材１７６が上構造体１４に固定される。取付部１９９の下面には、天構造体１０における取付片１５７が、ボルト１６で締結され、天構造体１０が上構造体１４に固定される。ボルト１６は、上構造体１４の上面に突出していないので、上構造体１４の上側から取り外されない。天構造体１０と上構造体１４とが互いに組み合わされた場合、天構造体１０の上面と上構造体１４の上面とが互いに前後方向に平坦な面として連結されるので、図１の筐体１の容積が大きくなるという利点がある。
【００３６】
図８のｄ図に示すように、下構造体１５は、鉄板のような板金からなる内側板金ａおよび鉄板のような板金からなる外側板金ｂを材料とし、上下方向に長い、角筒状に形成され、後側の取付部２０２、前側の骨太部２０３を備える。骨太部２０３における上下方向の寸法である厚さＴ９は、取付部２０２における上下方向の寸法である厚さＴ８よりも大きい（Ｔ９＞Ｔ８）。取付部２０２の上面には、底構造体１１における取付片１７１が、ボルト１６で締結され、底構造体１１が下構造体１５に固定される。ボルト１６は、下構造体１５の下面に突出していないので、下構造体１５の下側から取り外されない。
【００３７】
図９および図１０を参照し、左構造体７、右構造体８、背構造体９の組立方について説明する。図９において、左構造体７および背構造体９が互いに組み立てられる場合、左構造体７の下部および背構造体９の上部が、互いに、上下方向で向かい合わせられた後に、近づけられて嵌め合わされる。その場合、図１０にも示すように、左側板３７が左係合片１３８の左側に配置され、係合後片４７が後係合片１３９の後側に配置され、係合右片４８が右係合片１４０と天板係合部１３４との間の隙間を経由して右係合片１４０の右側に配置され、係合前片４９が右係合片１４０と背板１２４との間の隙間に挿入され、背板１２４の左縁部が天板受止片４５と係合前片４９との間の隙間に挿入される。その後、左構造体７の下部と背構造体９の上部とが互いに近づく方向に、左構造体７が背構造体９に対し、または、背構造体９が左構造体７に対し直線的に移動される。これによって、左構造体７と背構造体９とが互いに組み立てられる。
【００３８】
左構造体７および背構造体９が互いに組み立てられる場合、図示は省略したが、左構造体７の上部および背構造体９の下部が、互いに、上下方向で向かい合わせられた後に、近づけられて嵌め合わされてもよい。しかしながら、左構造体７に図１の左プロテクタ４が取り付けられた場合、左プロテクタ４が背板係合部４６の下部を塞いでいるので、左構造体７の上部および背構造体９の下部が、互いに、上下方向で向かい合わせられた後に、近づけられて嵌め合わせられる必要がある。けれども、左プロテクタ４が背板係合部４６の下部を塞がないように、左プロテクタ４の長さが短く形成されれば、左構造体７の下部および背構造体９の上部が、互いに、上下方向で向かい合わせられた後に、近づけられて嵌め合わされても、左構造体７の上部および背構造体９の下部が、互いに、上下方向で向かい合わせられた後に、近づけられて嵌め合わせてもよい。
【００３９】
図９において、右構造体８および背構造体９が互いに組み立てられる場合、右構造体８の下部および背構造体９の上部が、互いに、上下方向で向かい合わせられた後に、近づけられて嵌め合わされる。その場合、図１０にも示すように、右側板８５が右係合片１４２の右側に配置され、係合後片９４が後係合片１４３の後側に配置され、係合左片９５が左係合片１４４と天板係合部１３４との間の隙間を経由して左係合片１４４の左側に配置され、係合前片９６が左係合片１４４と背板１２４との間の隙間に挿入され、背板１２４の右縁部が天板受止片９２と係合前片９６との間の隙間に挿入される。その後、右構造体８の下部と背構造体９の上部とが互いに近づく方向に、右構造体８が背構造体９に対し、または、背構造体９が右構造体８に対し直線的に移動される。これによって、右構造体８と背構造体９とが互いに組み立てられる。
【００４０】
右構造体８および背構造体９が互いに組み立てられる場合、図示は省略したが、右構造体８の上部および背構造体９の下部が、互いに、上下方向で向かい合わせられた後に、近づけられて嵌め合わされてもよい。しかしながら、右構造体８に図１の右プロテクタ５が取り付けられた場合、右プロテクタ５が背板係合部９３の下部を塞いでいるので、右構造体８の上部および背構造体９の下部が、互いに、上下方向で向かい合わせられた後に、近づけられて嵌め合わせられる必要がある。けれども、右プロテクタ５が背板係合部９３の下部を塞がないように、右プロテクタ５の長さが短く形成されれば、右構造体８の下部および背構造体９の上部が、互いに、上下方向で向かい合わせられた後に、近づけられて嵌め合わされても、右構造体８の上部および背構造体９の下部が、互いに、上下方向で向かい合わせられた後に、近づけられて嵌め合わせてもよい。
【００４１】
図１１を参照し、左構造体７と右構造体８および背構造体９の相互に組みつけられた複合体２０６への天構造体１０の組立方について説明する。先ず、仮想線で示すように、天構造体１０の前部が上側となり、天構造体１０の後部が下側となるように、天構造体１０が傾けられ、背板係合部１５２が天板係合部１３４よりも後側に配置され、天構造体１０の後部が背構造体９の上に載せられ、天構造体１０が前側に移動されるのに伴い、背板係合部１５２が天板係合部１３４に嵌め込まれる。これによって、天板１４９が上係合片１３５の上側に配置され、後係合片１５４が後係合片１３６ａの後側に配置され、下係合片１５５ａが後係合片１３６ａの下側に配置される。次に、天構造体１０の前部が実線で示すように複合体２０６の側に移動される。これによって、天板１４９の下面が上係合片１３５の上面や天板受止片４５；９２の上面に接触して重ね合わされ、左側板受止片１５０が左側板３７の左面に接触して重ね合わされ、右側板受止片１５１が右側板８５の右面に接触して重ね合わされる。これによって、天構造体１０が複合体２０６に固定される。
【００４２】
図１２を参照し、左構造体７と右構造体８および背構造体９の相互に組み付けられた複合体２０６への底構造体１１の組立方について説明する。底構造体１１が複合体２０６の上側から左構造体７と右構造体８および背構造体９で囲まれた内側に挿入される。これによって、左側板受止片１６０が左側板３７の右側に配置され、右側板受止片１６１が右側板８５の左側に配置され、背板受止片１６２が背板１２４の前側に配置され、フレーム取付部１６３が取付片５２と取付片９９との間に配置され、底板１５９の下面が底受止構造体４０；８７；１２５における底板取付部７０；１０９；１４７の上に搭載され、底構造体１１の上側からボルト挿入孔１６６と底板取付部７０；１０９；１４７との互いに位置が合う。そして、ボルト２０８が底構造体１１の上側からボルト挿入孔１６６を経由して底板取付部７０；１０９；１４７に締結される。これによって、底構造体１１が複合体２０６に固定される。
【００４３】
以上のように、左構造体７と右構造体８と背構造体９と天構造体１０および底構造体１１が組み合わせられてボックス本体２が形成された後、図１に示す前フレーム３がボックス本体２に嵌め込まれてボルト１６でボックス本体２に固定されると、左構造体７と右構造体８と背構造体９と天構造体１０とが相互に離脱しないよう固定され、筐体１が図１３に示す構造に構成される。
【００４４】
図１３を参照し、スロットマシンの構造について説明する。スロットマシンは、筐体１の前側に、前扉２１０を、左側のヒンジ２１１を中心とし、筐体１の前側で前側に開かれかつ後側に閉じられるように、片開き可能に備える。筐体１の内部には、回胴式図柄表示装置２１２、図外の制御装置、電源装置２１３、ホッパー２１４、予備箱２１５が設けられる。ホッパー２１４は、内部に図外のメダル払出機構を備える。前扉２１０には、図柄視認パネル２１６、操作台２１７、情報表示部２１８、受皿２１９、メダル選別機２２０、ロック機構２２１、図外の施錠装置が設けられる。図柄視認パネル２１６は、前扉２１０の前側から回胴式図柄表示装置２１２の図柄を遊技者に見せるための部分である。操作台２１７は、前扉２１０の前面から前側に突出し、遊技開始操作構造体、図柄停止操作構造体、メダル投入口などの遊技操作構造体が設けられる。情報表示部２１８は、前扉２１０の前側から機種名や証紙を遊技者に見せるための部分である。受皿２１９は、前扉２１０の前面から前側に突出し、遊技媒体であるメダルを受け入れる構造体である。メダル選別機２２０は、前扉２１０の裏面に設けられる。メダル選別機２２０はメダル検出器を備える。
【００４５】
そして、筐体１が遊技店の島とよばれる遊技機設置構造体に取り付けられ、電源装置２１３の電源プラグが商用電源のコンセントに接続され、電源装置２１３の電源スイッチが投入されると、電源装置２１３が交流電源をスロットマシンで使用する直流電源に変換し、変換した直流電源を制御装置に出力し、制御装置が起動して制御処理を開始する。また、メダルがホッパー２１４に入れられ、前扉２１０が店員により後側に押されて閉じられ、ロック機構２２１が筐体１における図１の掛止片１８６に係合し、施錠装置が店員による鍵で施錠操作されると、施錠装置がロック機構２２１と掛止片１８６との係合を保持するようにロック機構２２１の動作を規制し、前扉２１０が筐体１の前側の開口を塞いで筐体１に開放不能に支持される。次に、遊技者がメダルをメダル投入口に投入すると、メダル選別機２２０がメダル投入口から投入されたメダルが正常なメダルである異常なメダルであるかを機械的に選別し、正常なメダルをホッパー２１４に排出し、異常なメダルを受皿２１９に排出する。
【００４６】
さらに、メダル検出器がメダル選別機２２０からホッパー２１４に排出されるメダルを検出してメダル検出信号を制御装置に出力し、制御装置がメダル検出器から入力されたメダル検出信号をカウントアップして制御装置のメモリに記憶する。その後、遊技者が遊技開始操作構造体を操作すると、遊技開始スイッチが制御装置に遊技開始信号を出力し、制御装置が回胴式図柄表示装置２１２を駆動し、回胴式図柄表示装置２１２が図柄表示体を上から下にまたは下から上に回転する。その状態において、遊技者が図柄停止操作構造体を操作すると、図柄停止スイッチが制御装置に図柄停止信号を出力し、制御装置が入力された図柄停止信号に対応する図柄を停止するように回胴式図柄表示装置２１２を制御する。そして、回胴式図柄表示装置２１２における全部の図柄が停止し、それの停止した図柄の組み合わせが制御装置に設定された当たり図柄の組み合わせで揃うと、賞品としてのメダルがホッパー２１４のメダル払出機構から受皿２１９も払い出される。
【００４７】
最良の形態によれば、図１に示すように、ボックス本体２では、左構造体７、右構造体８、背構造体９、天構造体１０、底構造体１１において、取手構造体４２；８９以外の全部が金属板を材料として構成される。左構造体１２、右構造体１３、上構造体１４、下構造体１５が、金属板を材料として筒状に構成され、左構造体１２、右構造体１３、上構造体１４、下構造体１５が溶接されて前フレーム３が構成される。そして、前フレーム３がボックス本体２の前側にボルト１６で固定されることによって、筐体１が構成される。よって、筐体１は、ボックス本体２による軽量化と前フレーム３による強度向上との双方を兼ね備えたという利点がある。また、前フレーム３、左プロテクタ４、右プロテクタ５、後プロテクタ６、左構造体７、右構造体８、背構造体９、天構造体１０、底構造体１１を分解してまま保管することによって、保管する倉庫が小さくてよいという利点がある。左構造体７、右構造体８、背構造体９、天構造体１０が、嵌め合いによって、組み立てられるので、それの組立作業が容易であるという利点がある。底構造体１１が左構造体７、右構造体８、背構造体９にボルト２０８で固定されているので、筐体１を持ち運ぶ場合、背構造体９が持ち上がることなく、筐体１の運搬作業が容易に行えるという利点がある。ボックス本体２および前フレーム３が電着塗装されているので、筐体１が静電気の帯電しない構造であるという利点がある。ボックス本体２では、左構造体７、右構造体８、背構造体９、天構造体１０、底構造体１１を個別に新品に交換することができるという利点がある。ヒンジ取付構造体４１が前フレーム３を固定する連絡片５１に設けられているので、図１３に示すヒンジ２１１が図１に示すヒンジ取付構造体４１に取り付けられた場合において、筐体１の前扉２１０を支持する強度が向上するという利点がある。
【産業上の利用可能性】
【００４８】
筐体１が重くなるが、前フレーム３では、左構造体１２、右構造体１３、上構造体１４、下構造体１５が、金属板を材料として筒状に構成されることなく、厚さの厚い金属板を帯状に切断したままの形態でもよい。取手構造体４２；８９を金属板を材料として構成してもよい。底構造体１１をボックス本体２の左構造体７、右構造体８、背構造体９に、ボルト２０８で固定せず、嵌め合いで固定してもよい。成形型は高くなるが、左プロテクタ４、右プロテクタ５、後プロテクタ６は、分割することなく、合成樹脂から一体に形成されてもよい。左プロテクタ４、右プロテクタ５、後プロテクタ６は、設けなくてもよい。部品取付構造体８８、補給孔部１２８、回収孔部１６４は、設けなくてもよい。
【００４９】
図１４は異なる形態に係る左構造体７および右構造体８の構造を示す。左構造体７の左側板３７がフレーム取付部５０と背板係合部４６との間に段差部２２３ａ；２２３ｂを備える。段差部２２３ａは、左側板３７が右側に斜めに折り曲げられた後に前側に直角に折り曲げられた構造である。段差部２２３ｂは、図１０の連絡片５１に相当し、段差部２２３ａにおける前側に直角に折り曲げられた片の前縁部から左側に直角に折り曲げられる。段差部２２３ｂの左縁部から前側に取付片５２が直角に折り曲げられる。よって、段差部２２３ａ；２２３ｂが左側板３７に設けられ、左構造体７の左右方向からの曲げに対する縦方向の強度が向上されている。右構造体８の右側板８５がフレーム取付部９７と背板係合部９３との間に段差部２２４ａ；２２４ｂを備える。段差部２２４ａは、右側板８５が左側に斜めに折り曲げられた後に前側に直角に折り曲げられた構造である。段差部２２４ｂは、図１０の連絡片９８に相当し、段差部２２４ａにおける前側に直角に折り曲げられた片の前縁部から右側に直角に折り曲げられる。段差部２２４ｂの右縁部から前側に取付片９９が直角に折り曲げられる。よって、段差部２２４ａ；２２４ｂが右構造体８に設けられ、右構造体８の左右方向からの曲げに対する縦方向の強度が向上されている。
【図面の簡単な説明】
【００５０】
【図１】筐体の分解斜視図（最良の形態）。
【図２】左構造体の分解斜視図（最良の形態）。
【図３】右構造体の分解斜視図（最良の形態）。
【図４】背構造体の分解斜視図（最良の形態）。
【図５】天構造体の斜視図（最良の形態）。
【図６】底構造体の斜視図（最良の形態）。
【図７】前フレームの分解斜視図（最良の形態）。
【図８】ａ図は図７のＡ−Ａ線断面図、ｂ図は図７のＢ−Ｂ線断面図、ｃ図は図７のＣ−Ｃ線断面図、ｄ図は図７のＤ−Ｄ線断面図（最良の形態）。
【図９】左構造体と右構造体および背構造体を相互に組み立てる初期形態を示す斜視図（最良の形態）。
【図１０】左構造体と右構造体と背構造体および前フレームの組み立てられた平面的な断面図（最良の形態）。
【図１１】天構造体を複合体に組み立てる側面的な断面図（最良の形態）。
【図１２】底構造体を複合体に組み立てる分解斜視図（最良の形態）。
【図１３】筐体を使用したスロットマシンの斜視図（最良の形態）。
【図１４】左構造体と右構造体と背構造体および前フレームの組み立てられた平面的な断面図（異なる最良の形態）。
【符号の説明】
【００５１】
１    筐体
２    ボックス本体
３    前フレーム
７    左構造体
８    右構造体
９    背構造体
１０  天構造体
１１  底構造体
１２  左構造体
１３  右構造体
１４  上構造体
１５  下構造体
１６  ボルト
１７  ボルト挿入孔
【図１】
0004700433.tif 000002
【図２】
0004700433.tif 000003
【図３】
0004700433.tif 000004
【図４】
0004700433.tif 000005
【図５】
0004700433.tif 000006
【図６】
0004700433.tif 000007
【図７】
0004700433.tif 000008
【図８】
0004700433.tif 000009
【図９】
0004700433.tif 000010
【図１０】
0004700433.tif 000011
【図１１】
0004700433.tif 000012
【図１２】
0004700433.tif 000013
【図１３】
0004700433.tif 000014
【図１４】
0004700433.tif 000015